(57)【要約】【課題】閉塞時において開閉板間から表示部の表示内容が漏れることを防止して演出効果を向上させること。【解決手段】演出表示装置１０は、演出表示を行う表示部１３と、表示部１３の前面を開放及び閉塞可能な複数の開閉板６１を有する開閉機構１２と、複数の開閉板６１を開閉させる駆動制御部と、複数の開閉板６１を位置決めする複数の位置決め部６４ｃと、複数の開閉板６１の閉塞を検知する検知部６０と、を有する。複数の位置決め部６７は、表示部１３の前面を閉塞する閉塞面を形成し、駆動制御部は、検知部６０で開閉板６１の閉塞を検知した場合、当該開閉板６１を閉塞方向に駆動させ位置決め部６４ｃに当接させる。【選択図】図４
2011036337.tif 000002
【特許請求の範囲】
【請求項１】
演出表示を行う表示部と、
前記表示部の前面を開放及び閉塞可能な複数の開閉板を有する開閉機構と、
前記複数の開閉板を開閉させる駆動制御部と、
前記複数の開閉板の各閉塞位置を位置決めする複数の位置決め部と、
前記複数の開閉板の閉塞を検知する検知部と、を有し、
前記駆動制御部は、前記検知部で前記開閉板の閉塞を検知した場合、当該開閉板を閉塞方向に駆動させ前記位置決め部に当接させることを特徴とする演出表示装置。
【請求項２】
前記駆動制御部は、前記開閉板を前記開放位置から前記閉塞位置まで駆動させるのに必要な駆動量よりもさらに前記閉塞方向に駆動させることを特徴とする請求項１に記載の演出表示装置。
【請求項３】
前記複数の開閉板は、閉塞状態において、各開閉板の前面が同一平面を形成するように互いに重なり合うことなく配置されることを特徴とする請求項１又は請求項２に記載の演出表示装置。
【請求項４】
演出表示を行う表示部と、
前記表示部の前面を開放及び閉塞可能な開閉板及び当該開閉板を開閉自在に支持する支持枠を有する開閉機構と、
前記開閉板の開放時に前記支持枠内の開口を通過し、前記表示部を進退させる表示部駆動機構と、
前記開閉機構を進退させる開閉機構駆動機構と、
前記表示部、前記開閉機構、前記表示部駆動機構及び開閉機構駆動機構を収容する筐体と、を備え、
前記筐体は、前記表示部の両外側との対向面で当該表示部の進退移動をガイドする第１のガイド部と、前記開閉機構の両外側との対向面で当該開閉機構の進退移動をガイドする第２のガイド部を有し、
前記表示部は、前記第１のガイド部にガイドされる第１の被ガイド部材を有し、
前記開閉機構は、前記第２のガイド部にガイドされる第２の被ガイド部材を有し、
前記第１のガイド部は、前記表示部の上下方向を位置規制する第１の規制面と、当該表示部の幅方向を位置規制する第２の規制面とを有し、
前記第２のガイド部は、前記開閉機構の上下方向を位置規制する第３の規制面と、当該開閉機構の幅方向を位置規制する第４の規制面とを有し、
前記表示部駆動機構及び開閉機構駆動機構は、前記第１の被ガイド部材を前記第１の規制面及び第２の規制面に摺接させると共に前記第２の被ガイド部材を前記第３の規制面及び第４の規制面に摺接させて進退させることを特徴とする演出表示装置。
【請求項５】
前記第１の被ガイド部材は、前記第１の規制面に上下方向が位置規制された第１のローラと、前記第２の規制面に幅方向が位置規制された第２のローラとからなり、
前記第２の被ガイド部材は、前記第３の規制面に上下方向が位置規制された第３のローラと、前記第４の規制面に幅方向が位置規制された第４のローラとからなることを特徴とする請求項４に記載の演出表示装置。
【請求項６】
前記開閉機構に電力を供給する可撓性ケーブルと、
前記可撓性ケーブルを収容するケーブル収容手段と、を備え、
前記ケーブル収容手段には、前記開閉機構が退避位置にあるときに、前記可撓性ケーブルを上下方向に撓ませて収容する収容空間が形成されていることを特徴とする請求項４又は請求項５に記載の演出表示装置。
【請求項７】
前記ケーブル収容手段は、
開口部を有する基板と、
前記基板上面に設けられると共に前記可撓性ケーブルの一端部が接続されるコネクタと、を備え、
前記可撓性ケーブルの他端部を前記開口部の上方から下方に通過させて前記開閉機構に接続させたことを特徴とする請求項６に記載の演出表示装置。
【請求項８】
前記表示部駆動機構及び開閉機構駆動機構は、それぞれラック・ピニオン機構で構成され、
前記表示部駆動機構及び開閉機構駆動機構のラックのうちの少なくとも一方のラックは、前記表示部及び前記開閉機構の少なくとも一方を退避させた状態かつ前記一方のラックにピニオンを噛み合わせた状態で、固定部材により前記筐体に固定されることを特徴とする請求項４から請求項７のいずれかに記載の演出表示装置。
【請求項９】
請求項１から請求項８のいずれかに記載の演出表示装置を備えたことを特徴とする遊技機。
【発明の詳細な説明】
【技術分野】
【０００１】
本発明は、演出表示を行う演出表示装置及びこれを備えた遊技機に関する。
【背景技術】
【０００２】
従来、この種の演出表示を行う演出表示装置として、表示部の前面側を遮蔽するシャッタ装置を備えた遊技機が知られている（特許文献１）。このシャッタ装置は、表示部の表示領域前面側に設けられたブラインド状の複数の遮蔽板と、複数の遮蔽板を上下方向に移動させ表示領域を開放及び閉塞させる移動手段と、表示領域の全開状態を検知する上限センサと、表示領域の全閉状態を検知する下限センサとを備えている。遮蔽板の上下端辺は傾斜面を有しており、各遮蔽板の傾斜面同士が重なり合った状態で表示領域を閉塞する。このように、非演出表示時には遮蔽板を下方に移動して表示部を閉塞し、演出表示時には遮蔽板を上方に移動して表示部を開放することにより演出効果を高めている。
【０００３】
また、この種の表示部の前面側を遮蔽するものとして、特許文献２に記載の遊技機も知られている。この遊技機は、表示部を前後方向に移動させるラックアンドピニオン機構と、表示部の前面側を開放及び閉塞可能な２つのカバー部材と、各カバー部材を駆動するラックアンドピニオン機構とを備えている。そして、各ラックアンドピニオン機構により、非演出表示時には各カバー部材を当接させて表示部を閉塞し、演出表示時には各カバー部材を離間させて表示部を開放すると共に表示部を前方に移動することにより演出効果を高めている。
【先行技術文献】
【特許文献】
【０００４】
【特許文献１】特開２００８−１９４０６４号公報
【特許文献２】特開２００７−０００５４９号公報
【発明の概要】
【発明が解決しようとする課題】
【０００５】
ところで、特許文献１記載のシャッタ装置では、遮蔽板の傾斜面同士が重なり合った状態で表示領域を閉塞するので遮蔽板間で隙間が生じないため、全閉状態を検知する下限センサには高い検知精度が求められていない。しかしながら、例えば観音開き状の複数の遮蔽板（開閉板）を有する演出表示装置に上記センサを適用した場合、このセンサでは、重なり合わない状態で閉塞する各開閉板の全閉状態を正確に検知することができないので、開閉板間の僅かな隙間から表示部の表示内容が漏れてしまう恐れがある。
【０００６】
本発明は、かかる点に鑑みてなされたものであり、例えば観音開き状の開閉板で表示部を閉塞する場合でも、閉塞時において開閉板間から表示部の表示内容が漏れることを防止して演出効果を向上させることができる演出表示装置及び遊技機を提供することを目的とする。
【課題を解決するための手段】
【０００７】
本発明の演出表示装置は、演出表示を行う表示部と、前記表示部の前面を開放及び閉塞可能な複数の開閉板を有する開閉機構と、前記複数の開閉板を開閉させる駆動制御部と、前記複数の開閉板の各閉塞位置を位置決めする複数の位置決め部と、前記複数の開閉板の閉塞を検知する検知部と、を有し、前記駆動制御部は、前記検知部で前記開閉板の閉塞を検知した場合、当該開閉板を閉塞方向に駆動させ前記位置決め部に当接させることを特徴とする。
【０００８】
この構成によれば、駆動制御部が開閉板を閉塞させ、検知部が開閉板の閉塞を検知すると、当該開閉板を閉塞方向にさらに駆動させ閉塞位置を位置決めする位置決め部に当接させるので、高い検知精度を備えた検知センサを用いなくても、複数の開閉板が表示部前面を閉塞して開閉板同士の隙間から表示部の表示内容が漏れることを防止することができる。従って、非演出表示時には表示部を完全に閉塞し、演出表示時にのみ表示部を開放させるため、演出効果を向上させることができる。
【０００９】
本発明の演出表示装置において、前記駆動制御部は、前記開閉板を前記開放位置から前記閉塞位置まで駆動させるのに必要な駆動量よりもさらに前記閉塞方向に駆動させることを特徴とする。
【００１０】
この構成によれば、開閉板を開放位置から閉塞位置まで駆動させるのに必要な駆動量よりもさらに閉塞方向に駆動させるので、開閉板を確実に位置決め部に当接させて表示部前面をより完全に閉塞することができる。
【００１１】
本発明の演出表示装置において、前記複数の開閉板は、閉塞状態において、各開閉板の前面が同一平面を形成するように互いに重なり合うことなく配置されることを特徴とする。
【００１２】
この構成によれば、閉塞状態において、各開閉板の前面が同一平面を形成するように互いに重なり合うことなく配置されるので、各開閉板前面の開閉方向におけるバラつきが抑制される。従って、例えば観音開き状の開閉板を本装置に適用した場合でも、表示部前面を完全に閉塞して、開閉板間の開閉方向における隙間から表示部の表示内容が漏れることを防止することができる。
【００１３】
本発明の演出表示装置は、演出表示を行う表示部と、前記表示部の前面を開放及び閉塞可能な開閉板及び当該開閉板を開閉自在に支持する支持枠を有する開閉機構と、前記開閉板の開放時に前記支持枠内の開口を通過し、前記表示部を進退させる表示部駆動機構と、前記開閉機構を進退させる開閉機構駆動機構と、前記表示部、前記開閉機構、前記表示部駆動機構及び開閉機構駆動機構を収容する筐体と、を備え、前記筐体は、前記表示部の両外側との対向面で当該表示部の進退移動をガイドする第１のガイド部と、前記開閉機構の両外側との対向面で当該開閉機構の進退移動をガイドする第２のガイド部を有し、前記表示部は、前記第１のガイド部にガイドされる第１の被ガイド部材を有し、前記開閉機構は、前記第２のガイド部にガイドされる第２の被ガイド部材を有し、前記第１のガイド部は、前記表示部の上下方向を位置規制する第１の規制面と、当該表示部の幅方向を位置規制する第２の規制面とを有し、前記第２のガイド部は、前記開閉機構の上下方向を位置規制する第３の規制面と、当該開閉機構の幅方向を位置規制する第４の規制面とを有し、前記表示部駆動機構及び開閉機構駆動機構は、前記第１の被ガイド部材を前記第１の規制面及び第２の規制面に摺接させると共に前記第２の被ガイド部材を前記第３の規制面及び第４の規制面に摺接させて進退させることを特徴とする。
【００１４】
この構成によれば、第１の被ガイド部材を第１及び第２の規制面に摺接させると共に第２の被ガイド部材を第３及び第４の規制面に摺接させるので、表示部及び開閉機構は、その上下方向及び幅方向が位置規制された状態で進退移動する。従って、表示部及び開閉機構の進退移動に伴うガタつきを防止することができ、表示部が開閉板の開放時に支持枠内を進退移動した場合でも、表示部と開閉機構との間の干渉を防止することができる。また、進退移動に伴うガタつきを防止するので、表示部と開閉機構（支持枠）とのクリアランス（隙間）を最低限に抑制できるので、表示部の表示領域を拡大することも可能である。さらに、進退移動に伴いガタつきを防止することで、演出表示時において、表示部に表示される演出表示内容のブレが抑制され視認性を向上させるので、演出効果を効果的に高めることができる。
【００１５】
本発明の演出表示装置において、前記第１の被ガイド部材は、前記第１の規制面に上下方向が位置規制された第１のローラと、前記第２の規制面に幅方向が位置規制された第２のローラとからなり、前記第２の被ガイド部材は、前記第３の規制面に上下方向が位置規制された第３のローラと、前記第４の規制面に幅方向が位置規制された第４のローラとからなることを特徴とする。
【００１６】
この構成によれば、各ローラが各規制面を摺動するので、表示部及び開閉機構の進退移動に伴うガタつきを防止すると共に、表示部及び開閉機構をスムーズに進退移動させることができる。また、簡易な構成により被ガイド部材を形成することができる。
【００１７】
本発明の演出表示装置において、前記開閉機構に電力を供給する可撓性ケーブルと、前記可撓性ケーブルを収容するケーブル収容手段と、を備え、前記ケーブル収容手段には、前記開閉機構が退避位置にあるときに、前記可撓性ケーブルを上下方向に撓ませて収容する収容空間が形成されていることを特徴とする。
【００１８】
この構成によれば、開閉機構が退避位置にあるときでも、収容空間に可撓性ケーブルを上下方向に撓ませて収容するので、上方側スペースを有効利用することができる。
【００１９】
本発明の演出表示装置において、前記ケーブル収容手段は、開口部を有する基板と、前記基板上面に設けられると共に前記可撓性ケーブルの一端部が接続されるコネクタと、を備え、前記可撓性ケーブルの他端部を前記開口部の上方から下方に通過させて前記開閉機構に接続させたことを特徴とする。
【００２０】
この構成によれば、基板上面のコネクタに一端部が接続された可撓性ケーブルの他端部を、開口部の上方から下方に通して開閉機構に接続するので、開閉機構が退避位置にあるときには、可撓性ケーブルを開口部の下方から上方に押し出して基板上方で撓ませた状態で収容することができ、基板上方のスペースを有効利用することができる。
【００２１】
本発明の演出表示装置において、前記表示部駆動機構及び開閉機構駆動機構は、それぞれラック・ピニオン機構で構成され、前記表示部駆動機構及び開閉機構駆動機構のラックのうちの少なくとも一方のラックは、前記表示部及び前記開閉機構の少なくとも一方を退避させた状態かつ前記一方のラックにピニオンを噛み合わせた状態で、固定部材により前記筐体に固定されることを特徴とする。
【００２２】
この構成によれば、表示部駆動機構及び開閉機構駆動機構は、ラックにピニオンを噛み合わせた状態で筐体に固定されるので、例えば、輸送時に衝撃等が加わった場合でも、ラックとピニオンとが外れることを防止することができる。
【００２３】
本発明の遊技機は、上記演出表示装置を備えたことを特徴とする。
【００２４】
この構成によれば、複数の開閉板が表示部前面を閉塞して開閉板同士の隙間から表示部の表示内容が漏れることを防止する遊技機を実現することができる。従って、非演出表示時には表示部を完全に閉塞し、演出表示時にのみ表示部を開放させるため、演出効果を向上させることができる。
【発明の効果】
【００２５】
本発明によれば、閉塞時において開閉板間から表示部の表示内容が漏れることを防止して演出効果を向上させることができる。
【図面の簡単な説明】
【００２６】
【図１】本発明の実施の形態に係るスロット機を示す模式図である。
【図２】本実施の形態に係る演出表示装置を示す分解斜視図である。
【図３】（ａ）は本実施の形態に係る演出表示装置の正面図であり（ｂ）は演出表示装置の背面図である
【図４】（ａ）は開放状態の開閉ユニットを前方から見た外観斜視図であり、（ｂ）は開放状態の開閉ユニットを後方から見た外観斜視図である。
【図５】（ａ）は開閉ユニットの開閉部を示す外観斜視図であり、（ｂ）は開閉ユニットの一部を拡大した拡大斜視図である。
【図６】本実施の形態に係る駆動ユニットを示す外観斜視図である。
【図７】（ａ）は開閉ユニットの進退移動の駆動制御を説明する図であり、同図（ｂ）は表示ユニットの進退移動の駆動制御を説明する図である。
【図８】表示ユニット及び開閉ユニットの進退移動の際のガイド部近傍を模式的に示した図である。
【図９】比較例に係る開閉ユニットの開閉板と検知センサとの位置関係を模式的に示した図である。
【図１０】本実施の形態に係る開閉ユニットの開閉板と検知センサとの位置関係を模式的に示した図である。
【図１１】比較例及び本実施の形態に係る開閉ユニットの開閉制御において、検知センサの検知位置と駆動モータの駆動量との関係を説明するための図である。
【図１２】開閉ユニット及び表示ユニットの筐体への固定方法を説明するための断面模式図である。
【発明を実施するための形態】
【００２７】
以下、添付図面を参照して、本発明の実施の形態について詳細に説明する。本発明の実施の形態に係る演出表示装置は、非演出表示時には表示部を閉塞し、演出表示時にのみ表示部を開放する演出表示装置であり、例えば、スロット機、パチンコ機、ゲーム機等の遊技機に適用可能なものである。以下、本発明の実施の形態に係る演出表示装置をスロット機に用いた場合を例に挙げて説明する。
【００２８】
図１は、本発明の実施の形態に係るスロット機を模式的に示した正面図である。図１に示すように、スロット機１は、枠状の筐体２と、筐体２に組み込まれたスロット機本体３とを備えている。スロット機本体３の正面パネル４にはリール表示窓５が設けられ、筐体２内部にはリール表示窓５の位置に対応して複数のリール６が設けられている。複数のリール６は回転可能に構成され、その外周面には、数字、図形、キャラクタ等の図柄が設けられている。リール表示窓５の下方には、ゲームを開始するためのスタートレバー７と、回転する各リール６を停止させる複数のストップボタン８と、メダル投入口９とが設けられている。リール表示窓５の上方には、例えば、ボーナスゲーム（特別遊技モード）時に演出表示を行う演出表示装置１０が設けられている。
【００２９】
スロット機１では、メダル投入口９にメダルを投入してスタートレバー７を操作すると複数のリール６が回転し、各リール６に対応するストップボタン８を押下操作すれば、対応するリール６が停止する。そして、複数のリール６の所定図柄が所定方向に整列した場合には、演出表示装置１０で演出表示が行われると共に所定枚数のメダルが払い出されるようになっている。
【００３０】
図２は、本実施の形態に係る演出表示装置の分解斜視図である。図３（ａ）は、本実施の形態に係る演出表示装置の正面図であり、同図（ｂ）は演出表示装置の背面図である。以下、前後、左右、上下は、図３に示す方向に従うものとして説明する。
【００３１】
図２及び図３に示すように、演出表示装置１０は、前面側が開口した筐体１１と、筐体１１内部に収容される開閉ユニット１２、表示ユニット１３及び駆動ユニット１４とを備えている。筐体１１は、天板１５、底板１６、両側板１７及び奥板１８により方形箱状に形成されており、筐体１１前面側から奥側に向かって開閉ユニット１２、表示ユニット１３、駆動ユニット１４の順に収容されている。開閉ユニット１２及び表示ユニット１３には、左右一対のラックギヤ（ラック）２０、２１がそれぞれ設けられ、駆動ユニット１４には、各ラック２０、２１にそれぞれ噛合するピニオンギヤ（ピニオン）８９、９３（図２及び図３で不図示）がそれぞれ設けられている。開閉ユニット１２及び表示ユニット１３は、このラック・ピニオン機構により、筐体１１内を前後方向に進退移動可能に構成されている（詳細は後述する）。
【００３２】
筐体１１の両側板１７の内面側には、開閉ユニット１２の進退移動をガイドする左右一対の開閉ユニットガイド部２５と、表示ユニット１３の進退移動をガイドする左右一対の表示ユニットガイド部２６とが、開閉ユニット１２及び表示ユニット１３に設けられた各被ガイド部材２７、２８に対向する位置にそれぞれ設けられている。筐体１１の奥板１８には、開閉ユニット１２に固定された左右一対のラック２０が貫通する一対の開口部２９が形成され、各開口部２９の下方には後述する固定部材１００の下端部１００ｂを表示ユニット１３に係合するための開口部３０が形成されている。また、一対の開口部２９の下方であって内側にずれた位置には、表示ユニット１３に固定された一対のラック２１が貫通する一対の開口部３１が形成されている。これら各開口部２９、３１にラック２０、２１を貫通させ開閉ユニット１２及び表示ユニット１３を退避させた状態で、固定部材１００により開閉ユニット１２及び表示ユニット１３が奥板１８に固定されるように構成されている。開閉ユニット１２及び表示ユニット１３の筐体１１への固定方法については後述する。
【００３３】
開閉ユニットガイド部２５は、開閉ユニット１２の進退方向に延在した溝部３３で形成されており、溝部３３は、開閉ユニット１２の被ガイド部材２７と対向する側が開口した正面視断面凹状に形成されている。溝部３３の上面３４及び下面３５は、開閉ユニット１２の上下方向を位置規制する規制面として機能し、溝部３３の側面３６は、開閉ユニット１２の幅方向を位置規制する規制面として機能する。また、溝部３３の上面３４には、被ガイド部材２７を幅方向に位置規制する突出部３７が形成されている（図８参照）。
【００３４】
表示ユニットガイド部２６は、開閉ユニットガイド部２５の下方に設けられ、表示ユニット１３の進退方向に延在すると共に開閉ユニットガイド部２５の溝部３３に平行な溝部３８で形成されている。溝部３８は、表示ユニット１３の被ガイド部材２８と対向する側が開口した正面視断面凹状に形成されている。溝部３８の上面３９及び下面４０は、表示ユニット１３の上下方向を位置規制する規制面として機能し、溝部３８の側面４１は、表示ユニット１３の幅方向を位置規制する規制面として機能する。また、溝部３８の上面３９には、被ガイド部材２８を幅方向に位置規制する突出部４２が形成されている（図８参照）。
【００３５】
表示ユニット１３は、前面に表示ディスプレイ４３が組み込まれた表示機本体４４を備えている。表示機本体４４は、正面視略矩形形状に形成され、開閉ユニット１２の支持枠４５内を通過可能な大きさで構成されている。表示機本体４４内には、表示ディスプレイ４３の表示を制御する表示制御回路等（図示省略）が組み込まれており、スロット機本体３内に設けられた制御回路（図示省略）からの表示制御指示に従って、表示ディスプレイ４３に遊技状態に応じた演出表示を行うように構成されている。
【００３６】
表示機本体４４の両側部下方には、前側が開口した上面視略凹状の支持部材４６が、表示機本体４４の両側部から外方にはみ出すように設けられている。支持部材４６の内側面上部にはラック２１が固定され、支持部材４６の外側面には被ガイド部材２８が取り付けられている。支持部材４６は、開閉ユニット１２と表示ユニット１３とが近接した状態において、開閉ユニット１２に設けられたラック２０下部と対向する位置になるように設けられており、支持部材４６の内側面と外側面の連結部４７には、下方側から固定部材１００の下端部１００ｂが係合可能に構成されている（図３（ｂ）参照）。
【００３７】
被ガイド部材２８は、溝部３８の上面３９に摺接する一対の上方ローラ４８と、溝部３８の下面４０に摺接する一対の下方ローラ４９と、溝部３８の側面４１に摺接する側方ローラ５０と、から構成されている。一対の上方ローラ４８は、支持部材４６の外側面において、表示ユニット１３の進退方向に所定距離離間した位置に、回動自在に取り付けられている。一対の下方ローラ４９は、支持部材４６の外側面において、各上方ローラ４８の下方位置であって表示ユニット１３の進退方向に所定距離離間した位置に、回動自在に取り付けられている。一対の側方ローラ５０は、ローラ支持部材５１により回動自在に支持されており、ローラ支持部材５１は、一対の下方ローラ４９間に固定されている。この側方ローラ５０は、上方ローラ４８及び下方ローラ４９に比して、幅方向に突出するように支持部材４６に取り付けられている（図８参照）。表示ユニット１３の進退移動時には、各上方ローラ４８が及び各下方ローラ４９が溝部３８の上面３９及び下面４０に摺接することにより上下方向が位置規制され、各側方ローラ５０が溝部３８の側面４１に摺接することにより幅方向が位置規制される。このとき、上方ローラ４８は、溝部３８の上面３９に形成された突出部４２に当接した状態で、溝部３８の上面３９を摺動する。従って、上方ローラ４８の突出部４２への摺接と、側方ローラ５０の溝部３８の側面４１への摺接とにより、幅方向において確実に位置規制することが可能になる。
【００３８】
次に、図４及び図５を用いて、本実施の形態に係る開閉ユニット１２について詳細に説明する。図４（ａ）は、開放状態の開閉ユニット１２を前方から見た外観斜視図であり、図４（ｂ）は、開放状態の開閉ユニット１２を後方から見た外観斜視図である。図５（ａ）は、開閉ユニット１２の開閉部５２を示す外観斜視図であり、図５（ｂ）は、開閉ユニット１２の一部を拡大した拡大斜視図である。
【００３９】
図４に示すように、開閉ユニット１２は、表示ユニット１３の前面を開放及び閉塞可能な複数の開閉部５２と、各開閉部５２を開閉可能に支持する支持枠４５とを備えている。本実施の形態に係る開閉ユニット１２においては、４つの開閉部５２から構成されているが、開閉部５２の数はこれに限定されるものではなく、表示ユニット１３前面を閉塞可能であれば、例えば、観音開き状の２つの開閉部で構成してもよい。
【００４０】
支持枠４５は、中央に開口部５３を有する枠状に形成され、開口部５３は、進退移動する表示ユニット１３が通過可能な大きさに構成されている。支持枠４５の両側部には、後方側に向かって延在した支持部材５４が設けられている。この支持部材５４は、上述した開閉ユニットガイド部２５に対向する位置に設けられている。支持部材５４の上部にはラック２０が固定され、支持部材５４の外側面には被ガイド部材２７が取り付けられている。ラック２０は、開閉ユニット１２の退避状態において、表示ユニット１３に設けられた支持部材４６と対向する位置になるように設けられている。ラック２０の下部側は開口しており、この開口部５５には、固定部材１００の上端部１００ａが係合可能に構成されている。
【００４１】
支持枠４５裏側の各辺部には、各開閉部５２をそれぞれ開閉駆動させる複数の開閉駆動モータ５６が設けられ、各開閉駆動モータ５６には、それぞれギヤ（ウォームギヤ）５７が取り付けられている。各ギヤ５７は支持枠４５を貫通するように設けられ、出力端側が開閉部５２に設けられたギヤ（ウォームホイール）５８に噛合するように構成されている。各開閉駆動モータ５６は、例えばステッピングモータで構成され、駆動ユニット１４に設けられた開閉制御回路５９から送られるパルス信号に従って正逆回転するように構成されている。後述する検知センサ６０が開閉板６１の閉塞を検知した場合には、開閉制御回路５９から送られるパルス信号に基づいて、開閉駆動モータ５６は、開閉部５２を閉塞方向に移動させるように駆動力をウォームギヤ５７に送る。また、支持枠４５の裏側には、電力供給用の可撓性ケーブル６２が接続可能なコネクタ６３が設けられている。
【００４２】
支持枠４５の前側の各辺部には、各開閉部５２を支持枠４５に対して回動自在に固定する一対の固定部６４と、開閉部５２の閉塞を検知する検知センサ６０と、が設けられている。検知センサ６０は、例えばフォトセンサで構成されており、後述する開閉板支持ユニット６５に形成された開口部に臨む位置に設けられている。検知部６０は、発光部（図示省略）からの赤外線等の光を、開口部内を移動する開閉板支持ユニット６５の遮蔽板６８が遮ることにより、開閉部５２の閉塞を検知するように構成されている。検知センサ６０は、開閉部５２の閉塞を検知すると、駆動ユニット１４に設けられた開閉制御回路５９に検知結果に送る。
【００４３】
固定部６４は、板状の基部６４ａと、基部６４ａの前面側に突出した軸支持部６４ｂとから形成されており、基部６４ａの背面側が支持枠４５前面に固定されている。軸支持部６４ｂは、開閉板支持ユニット６５の駆動軸７４を回動自在に支持するように構成され、軸支持部６４ｂの外周部には、支持枠４５前面に対して略平行方向に突出した突出部６４ｃが形成されている。突出部６４ｃは、開閉部５２が閉塞する閉塞位置を位置決めするものであり、開閉部５２の閉塞時において、突出部６４ｃ前面に開閉板支持ユニット６５の挟持固定部７９の対向面が当接するように構成されている。すなわち、各突出部６４ｃ前面は同一面内に設けられて閉塞面を形成し、各挟持固定部７９に挟持される各開閉板６１を閉塞面（閉塞位置）に位置決めする位置決め部として機能する。本実施の形態では、固定部６４側を突出させて位置決め部として機能させているが、開閉部５２の開閉板６１を閉塞位置に閉塞するものであれば、開閉板支持ユニット６５側を突出させ支持枠４５前面に当接させて位置決め部として機能させてもよい。
【００４４】
被ガイド部材２７は、溝部３３の上面３４に摺接する一対の上方ローラ７０と、溝部３３の下面３５に摺接する一対の下方ローラ７１と、溝部３３の側面３６に摺接する側方ローラ７２と、から構成されている。一対の上方ローラ７０は、支持部材５４の外側面において、開閉ユニット１２の進退方向に所定距離離間した位置に、回動自在に取り付けられている。一対の下方ローラ７１は、支持部材５４の外側面において、各上方ローラ７０の下方位置であって開閉ユニット１２の進退方向に所定距離離間した位置に、回動自在に取り付けられている。一対の側方ローラ７２は、ローラ支持部材７３により回動自在に支持されており、ローラ支持部材７３は、一対の下方ローラ７１間に固定されている。この側方ローラ７２は、上方ローラ７０及び下方ローラ７１に比して、幅方向に突出するように支持部材５４に取り付けられている（図８参照）。開閉ユニット１２の進退移動時には、各上方ローラ７０及び下方ローラ７１が溝部３３の上面３４及び下面３５に摺接することにより上下方向が位置規制され、各側方ローラ７２が溝部３３の側面３６に摺接することにより幅方向が位置規制される。このとき、上方ローラ７０は、溝部３３の上面３４に形成された突出部３７に当接した状態で、溝部３３の上面３４を摺動する。従って、上方ローラ７０の突出部３７への摺接と、側方ローラ７２の溝部３３の側面３６への摺接とにより、幅方向において確実に位置規制することが可能になる。
【００４５】
各開閉部５２は、開閉板６１と、開閉板６１を支持する開閉板支持ユニット６５と、を備えており、開閉板支持ユニット６５は固定部６４により支持枠４５前面に回動自在に固定されている。各開閉板６１は、正面視略三角形状に形成されており、固定端側となる底辺部側が開閉板支持ユニット６５に支持されている。各開閉板６１は、開放状態においては、自由端側が支持枠４５の前方位置まで開放され、閉塞状態においては、各開閉板６１前面が同一平面を形成するように互いに重なり合うことなく配置されるように構成されている。すなわち、閉塞状態では、各開閉板６１の端面同士が近接位置で対向し各開閉板６１前面が面一となるような状態で、支持枠４５の開口部５３に臨む表示ディスプレイ４３を閉塞するように構成されている。これにより、各開閉板６１前面の開閉方向におけるバラつきが抑制され、表示ユニット１３前面を完全に閉塞して、開閉板６１間の開閉方向における隙間から表示ディスプレイ４３の表示内容が漏れることを防止することができる。
【００４６】
開閉板支持ユニット６５は、開閉板６１を駆動させる駆動軸７４と、駆動軸７４を軸支する軸支持部７５と、軸支持部７５との間に開閉板６１を挟み込んで固定する開閉板固定部７６と、を備えている。駆動軸７４の一端部は軸支持部７５の一方の軸受け部７７に軸支され、他端部は他方の軸受け部７７を介して扇形状のウォームホイール５８に固定されている。ウォームホイール５８は、開閉駆動モータ５６に接続したウォームギヤ５７に噛合しており、ウォームギヤ５７を介して送られる開閉駆動モータ５６の駆動力により、駆動軸７４を駆動させる。
【００４７】
開閉板固定部７６は、駆動軸７４を被覆するように保持する軸保持部７８と、軸保持部７８から延在し軸支持部７５との間で開閉板６１を挟持固定する挟持固定部７９と、から構成されている。軸保持部７８には、支持枠４５側が開口した開口部が設けられており、この開口部内を移動可能な遮蔽板６８が設けられている。開閉部５２を閉塞方向に駆動すると、この遮蔽板６８が開口部内を移動して、検知センサ６０から発光する光を遮蔽して開閉部５２の閉塞が検知される。挟持固定部７９は、概略板状に形成され、軸支持部７５の板部８０との間で開閉板６１の底辺部側を挟持固定するように構成されている。挟持固定部７９の開閉板６１の挟持面の反対側面は、開閉板５２の閉塞時において、固定部６４の突出部６４ｃと当接するように構成されている。開閉部５２の閉塞時において、挟持固定部７９が、固定部６４の突出部６４ｃ前面に当接すると、各開閉板６１が支持枠４５前面側を完全に閉塞する。
【００４８】
軸支持部７５は、概略短冊状の板部８０と、板部８０の長辺方向の両端部に形成された一対の軸受け部７７とから構成されている。板部８０は、開閉板固定部６４の挟持固定部７９との間で、開閉板６１を挟持固定するように構成されている。
【００４９】
次に、図６を用いて、駆動ユニット１４について説明する。図６は、本実施の形態に係る駆動ユニット１４を示す外観斜視図である。図６に示すように、駆動ユニット１４は、表示ユニット１３及び開閉ユニット１２の進退移動を駆動制御するものであって、進退移動を駆動する駆動制御回路８１が搭載された基板８２と、基板８２の両端部を支持する左右一対の基板支持部８３と、を備えている。
【００５０】
各基板支持部８３は、筐体１１の両側板１７側に凹部を有する正面視略凹状に形成されており、基板支持部８３の上部及下部が、筐体１１の天板１５及び底板１６にそれぞれ固定されている。基板支持部８３の上方には、開閉ユニット１２を駆動する開閉ユニット駆動機構８４が設けられ、開閉ユニット駆動機構８４の下方には表示ユニット１３を駆動する表示ユニット駆動機構８５が設けられている。
【００５１】
開閉ユニット駆動機構８４は、基板支持部８３に回動自在に軸支される駆動軸８６と、駆動軸８６の両端部に接続された一対のギヤ列８７と、一方（右側）の基板支持部８３に設けられた駆動モータ８８と、を備えている。駆動モータ８８は、例えばステッピングモータで構成され、駆動制御回路８１から送られるパルス信号に従って正逆回転するように構成されている。この駆動モータ８８の駆動力は、駆動軸８６を介して一対のギヤ列８７に伝達される。各ギヤ列８７は複数のギヤで構成され、入力端側のギヤが駆動軸８６に接続されると共に出力端側のピニオンギヤ８９が開閉ユニット１２に設けられたラックギヤ２０に噛合するように構成されている。すなわち、開閉ユニット駆動機構８４は、ピニオンギヤ８９を含むギヤ列８７とラックギヤ２０とからなるラック・ピニオン機構で構成されている。駆動制御回路８１の駆動指示に従い駆動モータ８８が駆動すると、駆動力が一対のギヤ列８７に送られ、ラックギヤ２０に伝達されて開閉ユニット１２が進退移動する。
【００５２】
表示ユニット駆動機構８５は、基板支持部８３に回動自在に軸支される駆動軸９０と、駆動軸９０の両端部に接続された一対のギヤ列９１と、一方（左側）の基板支持部８３に設けられた駆動モータ９２と、から構成されている。駆動モータ９２は、例えばステッピングモータで構成され、駆動制御回路８１から送られるパルス信号に従って正逆回転するように構成されている。この駆動モータ９２の駆動力は、駆動軸９０を介して一対のギヤ列９１に伝達される。各ギヤ列９１は複数のギヤで構成され、入力端側のギヤが駆動軸９０に接続されると共に出力端側のピニオンギヤ９３が表示ユニット１３に設けられたラックギヤ２１に噛合するように構成されている。すなわち、表示ユニット駆動機構８５は、ピニオンギヤ９３を含むギヤ列９１とラックギヤ２１とからなるラック・ピニオン機構から構成されている。駆動制御回路８１の駆動指示に従い駆動モータ９２が駆動すると、駆動力が一対のギヤ列９３に送られ、ラックギヤ２１に伝達されて表示ユニット１３が進退移動する。
【００５３】
基板８２は、底板１６から浮いた位置で基板支持部８３に支持されている。基板８２には、開閉ユニット１２及び表示ユニット１３の進退移動を駆動する駆動制御回路８１と、両ユニット１２、１３への電力供給を制御する電力制御回路９４と、開閉ユニット１２の開閉制御を行う開閉制御回路５９と、開閉ユニット１２の進退移動を検知する検知センサ９５と、表示ユニット１３の進退移動を検知する検知センサ９６とが搭載されている。
【００５４】
また、基板８２上面には開口部９７が形成されて、開口部９７の奥側には、開閉ユニット１２に電力を供給する可撓性ケーブル６２の一端部が接続されるコネクタ９８が設けられている。可撓性ケーブル６２の他端部は、基板８２上面の開口部９７を上方から下方に通過して、開閉ユニット１２に設けられたコネクタ６３に接続されている。基板８２上面及び基板支持部８３の対向面間には、開閉ユニット１２が退避位置にあるときに、可撓性ケーブル６２を上下方向に撓ませて収容する収容空間９９が形成されている。すなわち、一対の基板支持部８３、基板８２、筐体１１の奥板１８及び表示ユニット１３背面により、可撓性ケーブル６２を収容する収容空間９９が形成される（ケーブル収容手段）。これにより、開閉ユニット１２が退避位置にあるときには、可撓性ケーブル６２を開口部９７の下方から上方に押し上げて基板８２上方で撓ませた状態で収容することができるので、基板８２上方のスペースを有効利用することができる。
【００５５】
各検知センサ９５、９６は、例えばフォトセンサで構成されており、発光部（図示省略）からの赤外線等の光を、開閉ユニット１２の支持枠４５下部及び表示ユニット１３の支持部材４６下部が遮ることにより、開閉ユニット１２及び表示ユニット１３の進退を検知するように構成されている。各検知センサ９５、９６は、開閉ユニット１２及び表示ユニット１３の通過を検知すると、駆動制御回路８１に検知結果をそれぞれ送る。
【００５６】
駆動制御回路８１は、各検知センサ９５、９６から開閉ユニット１２及び表示ユニット１３の通過を示す検知結果を受けると、各駆動モータ８８、９２に開閉ユニット１２及び表示ユニット１３の進退移動を制御するパルス信号をそれぞれ送る。また、開閉制御回路５９は、開閉ユニット１２に設けられた検知センサ６０から開閉部５２の閉塞を示す検知結果を受けると、開閉部５２を開放した開放位置から開閉部５２を閉塞する閉塞位置まで駆動させるのに必要な駆動量よりもさらに閉塞方向に駆動させるように、駆動モータ５６にパルス信号を送る。
【００５７】
次に、図７及び図８を用いて開閉ユニット１２及び表示ユニット１３の進退移動の駆動制御について説明する。図７（ａ）は、開閉ユニット１２の進退移動の駆動制御を説明する図であり、同図（ｂ）は、表示ユニット１３の進退移動の駆動制御を説明する図である。図８は、表示ユニット１３及び開閉ユニット１２の進退移動の際のガイド部近傍を模式的に示した図である。なお、ここでは、図７に示すように、退避位置において、開閉ユニット１２が演出表示装置１０の前面から７６ｍｍの位置にあり、表示ユニット１３が８４ｍｍの位置にあるものとする。
【００５８】
まず、開閉ユニット１２及び表示ユニット１３を連動して進退移動させる場合について説明する。駆動制御回路８１からの駆動指示を受けると、駆動モータ８８、９２がそれぞれ駆動し、各駆動軸８６、９０を介して各ギヤ列８７、９１に駆動力が伝達される。各ギヤ列８７、９１の出力端側のピニオンギヤ８９、９３にそれぞれ噛合する各ラックギヤ２０、２１に駆動力が伝達し、開閉ユニット１２及び表示ユニット１３が前方に移動する。
【００５９】
ところで、進退移動の際において、特許文献２に記載の遊技機のように表示ユニットをラック・ピニオン機構のみで移動させた場合、進退移動に伴うガタつきが生じ、表示ディスプレイ４３に表示される表示内容がブレて演出効果を低下させる問題がある。しかしながら、本実施の形態では、図８に示すように、進退移動の際に、開閉ユニット１２の上方ローラ７０及び下方ローラ７１は溝部３３の上面３４及び下面３５にそれぞれ摺接し、側方ローラ７２は溝部３３の側面３６に摺接しているため、開閉ユニット１２は上下方向及び幅方向に位置規制された状態で前方に移動する。同様に、表示ユニット１３の上方ローラ４８及び下方ローラ４９は溝部３８の上面３９及び下面４０にそれぞれ摺接し、側方ローラ５０は溝部３８の側面４１に摺接しているため、表示ユニット１３は上下方向及び幅方向に位置規制された状態で前方に移動する。従って、開閉ユニット１２及び表示ユニット１３の進退移動に伴うガタつきを防止することができ、演出表示時における表示ディスプレイ４３への演出表示内容のブレが抑制され視認性を向上させるので、演出効果を向上させることが可能である。
【００６０】
各駆動モータ８８、９２の駆動力により、開閉ユニット１２及び表示ユニット１３が６７．５ｍｍ（５００ステップ）移動すると、各検知センサ９５、９６で両ユニット１２、１３の通過が検知され、検知信号が駆動制御回路８１に送られる。検知信号を受けた駆動制御回路８１からの駆動信号に従い、各駆動モータ８８、９２は、さらに両ユニット１２、１３を検知センサ９５、９６の検知開始位置から１ｍｍ（７ステップ）移動させる（オーバーストロークさせる）。そして、開閉ユニット１２の各開閉部５２が開放され、表示ディスプレイ４３に遊技状態に応じた演出が表示される。
【００６１】
次に、開閉部５２の開放時において、支持枠４５の開口部５３内を表示ユニット１３を進退移動させる場合について説明する。この場合、開閉ユニット１２は退避位置に位置規制されている。駆動制御回路８１からの駆動指示を受けると、駆動モータ９２が駆動し、駆動軸９０を介してギヤ列９１に駆動力が送られ、ギヤ列９１を介してラックギヤ２１に駆動力が伝達され、表示ユニット１３が前方に移動する。この進退移動の際にも、特許文献２記載の遊技機では進退移動に伴うガタつきが生じるので、表示ユニット１３が開閉ユニット１２を通過する際に両ユニット１３、１２が干渉する問題がある。しかしながら、本実施の形態では、上記同様に、表示ユニット１３の上方ローラ４８及び下方ローラ４９は溝部３８の上面３９及び下面４０にそれぞれ摺接し、側方ローラ５０は溝部３８の側面４１に摺接しているため、表示ユニット１３は上下方向及び幅方向に位置規制された状態で前方に移動する。従って、表示ユニット１３の進退移動に伴うガタつきを防止することができ、表示ユニット１３が支持枠４５内を通過しても、表示ユニット１３と開閉ユニット１２との間の干渉を防止することができる。
【００６２】
駆動モータ９２の駆動力により、表示ユニット１３が６７．５ｍｍ（５００ステップ）移動すると、検知センサ９６で表示ユニット１３の通過が検知され、検知信号が駆動制御回路８１に送られる。検知信号を受けた駆動制御回路８１の駆動信号に従い駆動モータ９２は、さらに表示ユニット１３を検知センサ９６の検知開始位置から１ｍｍ（７ステップ）移動させる。そして、支持枠４５内を表示ユニット１３が通過し、表示ディスプレイ４３に遊技状態に応じた演出が表示される。
【００６３】
次に、図９から図１１を用いて、比較例と比較しながら、本実施の形態に係る開閉ユニット１２の開閉制御動作について説明する。図９は、比較例に係る開閉ユニットの開閉板と検知センサとの位置関係を模式的に示した図である。図１０は、本実施の形態に係る開閉ユニットの開閉板と検知センサとの位置関係を模式的に示した図である。図１１は、比較例及び本実施の形態に係る開閉ユニット１２の開閉制御において、検知センサの検知位置と駆動モータの駆動量との関係を説明するための図である。図９及び図１０において、（ａ）は開閉ユニットの開放状態を示し、（ｂ）は開閉ユニットの閉塞状態を示している。
【００６４】
図９に示す比較例では、検知センサ２０１が開閉板２０２の開放状態を検知するように構成されている。図９（ｂ）に示す閉塞状態から開閉板２０２を開放させる場合、開閉制御回路（制御部）２０３から駆動信号を受けて開閉駆動モータ２０４が駆動すると、開閉板２０２が開放方向に開放され、図９（ａ）に示すように検知センサ２０１で遮蔽板２０５が検知される。そして、図１１（ａ）に示すように、検知センサ２０１の検知位置から、さらに１９ステップ分だけ開閉板２０２が開放方向に移動する。一方、開閉板２０２を開放状態から閉塞させる場合、開閉駆動モータ２０４が駆動すると、開閉板２０２が閉塞方向に４３９ステップ分移動する。このように比較例では、開閉板２０２の開放状態を基準に閉塞動作を行っているため、開閉板２０２の自重等で開放位置にずれが生じた場合には、開閉板２０２を完全に閉塞させることができない可能性がある。
【００６５】
一方、図１０に示す本実施の形態では、検知センサ６０が開閉板６１の閉塞状態を検知するように構成されている。図１０（ｂ）に示す閉塞状態から開閉板６１を開放させる場合、開閉制御回路５９からの駆動信号を受けて開閉駆動モータ５６が駆動すると、開閉板６１が開放方向に開放されていく。そして、図１１（ｂ）に示すように、検知センサ６０が遮蔽板６８を検知しなくなった位置から、上側の開閉板６１が３９９ステップ分開放方向に移動し、下側及び左右両側の開閉板６１が３９６ステップ分開放方向に移動する。ここでは、上側の開閉板６１の駆動量は、ギヤのバックラッシロス（隙間等）を考慮して、その他の開閉板６１の駆動量よりも駆動量を多くしている。このとき、開角度は、閉塞位置から８８度（検知センサ６０の検知位置から８４度）になっている。一方、図１０（ａ）に示す開閉板６１の開放状態から閉塞させる場合、開閉駆動モータ５６が駆動すると、開閉板６１が閉塞方向に移動し、検知センサ６０が遮蔽板６８を検知する位置で、開閉板６１を挟持する挟持固定部７９が固定部６４の突出部６４ｃ前面に当接する。そして、この検知位置から、開閉板６１をさらに４２ステップ分だけ開閉板６１を閉塞方向に移動する。このように本実施の形態では、開閉板６１の閉塞状態を基準に閉塞動作を行うと共に、通常の開放位置から閉塞位置までの駆動量よりも多くしているため、開閉板６１の自重等で開放位置にずれが生じた場合でも、開閉板６１を閉塞方向に駆動させて表示ユニット１３を確実に閉塞することができる。
【００６６】
次に、図１２を用いて、開閉ユニット１２及び表示ユニット１３の筐体１１への固定方法について説明する。図１２は、開閉ユニット１２及び表示ユニット１３の筐体１１への固定方法を説明するための断面模式図である。
【００６７】
図１２（ａ）に示すように、固定部材１００は、側面視略Ｌ字状に形成されており、上端部１００ａが開閉ユニット１２のラック２０に、下端部１００ｂが表示ユニット１３の支持部材４６の連結部４７に係合可能に構成されている。固定部材１００の上端部１００ａ及び下端部１００ｂの略中間位置に、固定用ネジ１０１が貫通する長孔１００ｃが形成されている。
【００６８】
開閉ユニット１２及び表示ユニット１３を固定する際には、各ラック２０、２１を各ピニオン８９、９３に噛合させた状態で、両ユニット１２、１３を退避位置に移動させる。このとき、開閉ユニット１２に設けられたラック２０は奥板１８の開口部２９から後方側に露出している。固定部材１００の下端部１００ｂを開口部３０を貫通させて支持部材４６の内側面（連結部４７）に係合させ、上端部１００ａを開口部２９から露出したラック２０の下方に形成された開口部５５に係合させた状態で、固定用ネジ１０１を長孔１００ｃの内周面下方で位置決めして、奥板１８に固定する（図１２（ｂ））。これにより、開閉ユニット１２及び表示ユニット１３は、ラック２０、２１にピニオン８９、９３を噛み合わせた状態で筐体１１の奥板１８に固定されるので、例えば、輸送時に衝撃等が加わった場合でも、ラック２０、２１とピニオン８９、９３とが外れることを防止することができる。一方、開閉ユニット１２及び表示ユニット１３を進退移動させる場合には、図１２（ｃ）に示すように、固定部材１００を矢印方向に移動させ、長孔１００ｃの内周面上方で位置決めした状態で、固定用ネジ１０１により固定部材１００を奥板１８に固定する。なお、図１２では、開閉ユニット１２及び表示ユニット１３の両ユニットを筐体１１に固定する場合を例に説明したが、開閉ユニット１２又は表示ユニット１３を固定することも可能である。また、開閉ユニット１２に設けられたラック２０の開口部５５は、仕切り部材により複数の開口部５５ａに分けられているため、開閉ユニット１２の退避位置に合わせて固定することが可能である。
【００６９】
本実施の形態によれば、開閉板６１が閉塞方向に閉塞し、検知部６０で開閉板６１の閉塞を検知すると、当該開閉板６１を閉塞方向にさらに所定量だけ駆動させ、閉塞位置を位置決めする位置決め部６４ｃに当接させる。そのため、高い検知精度を備えた閉塞検知センサを用いなくても、複数の開閉板６１が表示ユニット１３前面を閉塞して開閉板６１同士の開閉方向における隙間から表示ユニット１３の表示内容が漏れることを防止することができる。従って、非演出表示時には表示ユニット１３を完全に閉塞し、演出表示時にのみ表示ユニット１３を開放させるため、演出効果を向上させることができる。
【００７０】
また、本実施の形態によれば、被ガイド部材２７を第１及び第２の規制面３４、３５、３６に摺接させると共に被ガイド部材２８を第３及び第４の規制面３９、４０、４１に摺接させるので、表示ユニット１３及び開閉ユニット１２は、その上下方向及び幅方向が位置規制された状態で進退移動する。従って、表示ユニット１３及び開閉ユニット１２の進退移動に伴うガタつきを防止することができ、表示ユニット１３が開閉板６１の開放時に支持枠４５内を進退移動した場合でも、表示ユニット１３と開閉ユニット１２との間の干渉を防止することができる。また、進退移動に伴うガタつきを防止するので、表示ユニット１３と開閉ユニット１２とのクリアランス（隙間）を最低限に抑制できるので、表示ユニット１３の表示領域を拡大することも可能である。さらに、進退移動に伴いガタつきを防止することで、演出表示時において、表示ユニット１３に表示される演出表示内容のブレが抑制され視認性を向上させるので、演出効果を効果的に高めることができる。
【００７１】
上記実施の形態では、両ユニットガイド部２５、２６を筐体１１の側面１７に設ける場合を例に説明したが、開閉ユニット１２及び表示ユニット１３の両側面部を進退方向に案内するものであれば、例えば、筐体１１の天板１５及び底板１６に両ユニットガイド部２５、２６を設けることも可能である。また、被ガイド部材２７、２８としてローラを例に挙げて説明したが、これに限定されるものではなく、溝部３３、３８の上下面及び側面に摺接するものであればよい。
【００７２】
なお、今回開示された実施の形態は、全ての点で例示であってこの実施の形態に制限されるものではない。本発明の範囲は、上記した実施の形態のみの説明ではなくて特許請求の範囲によって示され、特許請求の範囲と均等の意味および範囲内での全ての変更が含まれることが意図される。
【産業上の利用可能性】
【００７３】
本発明は、演出表示を行う演出表示装置であって、スロット機、パチンコ機、ゲーム機等の遊技機に適用可能である。
【符号の説明】
【００７４】
１  スロット機
１０  演出表示装置
１１  筐体
１２  開閉ユニット（開閉機構）
１３  表示ユニット（表示部）
１４  駆動ユニット
１７  側板
１８  奥板
２０、２１  ラック
２２、２３、８９、９３  ピニオン
２５  開閉ユニットガイド部（第１のガイド部）
２６  表示ユニットガイド部（第２のガイド部）
２７  被ガイド部材（第２の被ガイド部材）
２８  被ガイド部材（第１の被ガイド部材）
２９、３０、３１、５３、５５、９７  開口部
３３、３８  溝部
３４  上面（第１の規制面）
３５  下面（第１の規制面）
３６  側面（第２の規制面）
３７、４２、６６  突出部
３９  上面（第３の規制面）
４０  下面（第３の規制面）
４１  側面（第２の規制面）
４３  表示ディスプレイ
４５  支持枠
４６  支持部材
４７  連結部
４８  上方ローラ（第１のローラ）
４９  下方ローラ（第１のローラ）
５０  側方ローラ（第２のローラ）
５１  ローラ支持部材
５２  開閉部
５４  支持部材
５６  開閉駆動モータ
５９  開閉制御回路
６０、９５、９６  検知センサ
６１  開閉板
６２  可撓性ケーブル
６３、９８  コネクタ
６４  固定部
６４ｃ  突出部（位置決め部）
６５  開閉板支持ユニット
６８  遮蔽板
７０  上方ローラ（第３のローラ）
７１  下方ローラ（第３のローラ）
７２  側方ローラ（第４のローラ）
７３  ローラ支持部材
７４、８６、９０  駆動軸
７５  軸支持部
７６  開閉板固定部
７７  軸受け部
７８  軸保持部
７９  挟持固定部
８０  板部
８１  駆動制御回路
８２  基板
８３  基板支持部
８４  開閉ユニット駆動機構
８５  表示ユニット駆動機構
８７、９１  ギヤ列
８８、９２  駆動モータ
９９  収容空間
１００  固定部材
１００ａ  上端部
１００ｂ  下端部
１００ｃ  長孔
【図１】
2011036337.tif 000003
【図２】
2011036337.tif 000004
【図３】
2011036337.tif 000005
【図４】
2011036337.tif 000006
【図５】
2011036337.tif 000007
【図６】
2011036337.tif 000008
【図７】
2011036337.tif 000009
【図８】
2011036337.tif 000010
【図９】
2011036337.tif 000011
【図１０】
2011036337.tif 000012
【図１１】
2011036337.tif 000013
【図１２】
2011036337.tif 000014